(57)【要約】【課題】スクリーン装置の受け枠に対する可動框の吸着のためのマグネットの磁力を高めても、該可動框を受け枠から上記磁力に抗して容易に離脱できるようにしたマグネットロックの解除機構を提供する。【解決手段】スクリーン１０の一端に取り付けた可動框８に対して該スクリーンの収納方向への付勢力を作用させ、可動框を受け枠３に対してマグネット１６で吸着保持させるスクリーン装置において、可動框８にマグネットの吸着力に抗して該可動框を受け枠から離反させる吸着解除部材２０を備える。この吸着解除部材は、可動框に回転軸２６で回転可能に取り付けられ、手動回転用の操作部２１と、該操作部による回転で受け枠の一部を押圧して可動框を受け枠から離反させる押圧凸部２２とを有し、操作部側を長くして梃子の作用で容易にマグネットロックを解除可能にしている。【選択図】図１
2011256556.tif 000002
【特許請求の範囲】
【請求項１】
スクリーンの一端に取り付けた可動框に対して該スクリーンの収納方向への付勢力を作用させ、スクリーンを張設状態に保持する際に該可動框を受け枠に対してマグネットで吸着保持させるようにしたスクリーン装置において、
上記可動框の開閉操作位置に回転軸で回転可能に取り付けられて、手動回転用の操作部と、該操作部の操作による回転で受け枠の一部に当接し該受け枠を押圧して上記マグネットの吸着力に抗して可動框を受け枠から離反させる押圧凸部とを有する吸着解除部材を備え、
該押圧凸部の先端の受け枠への当接部と上記吸着解除部材の回転軸の回転中心との間の距離に対して、上記回転中心から上記操作部までの長さを長く形成している、
ことを特徴とするスクリーン装置におけるマグネットロックの解除機構。
【請求項２】
上記吸着解除部材における操作部の操作による回転で該吸着解除部材の押圧凸部により受け枠の一部を押圧し、それにより可動框を受け枠から離反させるための上記操作部の操作方向が、該可動框によりスクリーンを収納する際の押圧方向であることを特徴とする請求項１に記載のスクリーン装置におけるマグネットロックの解除機構。
【請求項３】
上記吸着解除部材自体が、その操作部の重量により押圧凸部が受け枠から離れた復帰位置に保持されるように重量配分されて、上記回転軸により回転自在に支持されていることを特徴とする請求項１または２に記載のスクリーン装置におけるマグネットロックの解除機構。
【発明の詳細な説明】
【技術分野】
【０００１】
本発明は、スクリーンの一端に取り付けた可動框に対して該スクリーンの収納方向への付勢力を作用させた建物開口部等のためのスクリーン装置において、該可動框を受け枠に対してマグネットで吸着保持させてスクリーンを張設状態に保持する場合に、該可動框をスクリーンの収納に際して容易に受け枠から離脱できるようにしたマグネットロックの解除機構に関するものである。
【背景技術】
【０００２】
縦引きあるいは横引きの自動巻取り機構を備えたロール網戸等のスクリーン装置において、スクリーンの一端に取り付けた可動框を、該スクリーンの張設に際してマグネットで受け枠に対して吸着保持させるようにしたものは、例えば特許文献１等によりきわめて一般的に知られている。そして、このようにスクリーンをマグネットロック機構による可動框の吸着で張設状態に保持するように構成したものでは、通常、張設状態にあるスクリーンを収納状態にする場合、操作者の手の力でマグネットによる可動框の吸着保持を解除したうえで可動框から手を離すことにより、上記自動巻取り機構によりスクリーンが自動的に巻き取られるように構成されている。
【０００３】
しかしながら、風当たりのよい建物開口部等にこのスクリーン装置を設置していると、スクリーンに作用する風の力によってマグネットロックされている可動框が受け枠から離脱することがあり、その場合には、不本意ながらスクリーンが自動巻取り機構によって自動的に巻き取られてしまうことになる。これを防止するためには、受け枠に対する可動框の吸着のためのマグネットの磁力を高めればよいが、当該磁力を高めるとスクリーンを収納するために可動框を受け枠から離脱させるために大きな力が必要になり、弱者の操作が困難になる。
【先行技術文献】
【特許文献】
【０００４】
【特許文献１】特開２００５−３０７５５９号公報
【発明の概要】
【発明が解決しようとする課題】
【０００５】
本発明の技術的課題は、上記スクリーン装置の受け枠に対する可動框の吸着のためのマグネットの磁力を高め、スクリーンに作用する風等の力によってマグネットロックされている可動框が受け枠から離脱するのを抑止しながら、スクリーンを収納するために可動框を受け枠から離脱させる場合に大きな力を必要とすることなく、可動框を上記マグネットの磁力に抗して容易に受け枠から離脱できるようにしたマグネットロックの解除機構を提供することにある。
本発明の他の技術的課題は、上記スクリーン装置におけるマグネットロックの解除機構を、操作性においてすぐれたものとして提供することにある。
【課題を解決するための手段】
【０００６】
上記課題を解決するため、本発明によれば、スクリーンの一端に取り付けた可動框に対して該スクリーンの収納方向への付勢力を作用させ、スクリーンを張設状態に保持する際に該可動框を受け枠に対してマグネットで吸着保持させるようにしたスクリーン装置において、上記可動框の開閉操作位置に回転軸で回転可能に取り付けられて、手動回転用の操作部と、該操作部の操作による回転で受け枠の一部に当接し該受け枠を押圧して上記マグネットの吸着力に抗して可動框を受け枠から離反させる押圧凸部とを有する吸着解除部材を備え、該押圧凸部の先端の受け枠への当接部と上記吸着解除部材の回転軸の回転中心との間の距離に対して、上記回転中心から上記操作部までの長さを長く形成していることを特徴とするスクリーン装置におけるマグネットロックの解除機構が提供される。
【０００７】
本発明に係る上記マグネットロックの解除機構の好ましい実施形態においては、上記吸着解除部材における操作部の操作による回転で該吸着解除部材の押圧凸部により受け枠の一部を押圧し、それにより可動框を受け枠から離反させるための上記操作部の操作方向が、該可動框によりスクリーンを収納する際の押圧方向になるように構成し、また、上記吸着解除部材自体が、その操作部の重量により押圧凸部が受け枠から離れた復帰位置に保持されるように重量配分されて、上記回転軸により回転自在に支持されているものとすることが望まれる。
【０００８】
上記構成を有するマグネットロックの解除機構を備えた本発明のスクリーン装置は、縦引きあるいは横引きの自動巻取り機構を備えたロール網戸等のスクリーン装置、あるいは横引きでプリーツ状に折り畳まれるスクリーンをばねまたは重錘による付勢力で自動収納できるようにしたスクリーン装置に適用することができるものである。建物開口部にスクリーンを張設した状態から該スクリーンを巻き取り、あるいは、折り畳み収納するに際しては、ハンドル状の吸着解除部材における操作部をスクリーンの収納方向に押圧すればよく、それによって、可動框に設けた該吸着解除部材における押圧凸部が受け枠の一部を押圧するので、該受け枠に吸着されている可動框が、上記押圧部材が受け枠側から受ける反力及び操作者の押圧により吸着解除部材の操作部に加えられた力により受け枠から離反する方向に押圧され、一旦受け枠から離脱すれば、可動框に作用している収納方向への付勢力によりスクリーンが収納される。しかも、押圧凸部の先端の受け枠への当接部と上記吸着解除部材の回転軸の回転中心との間の距離に対して、上記回転中心から上記操作部までの長さを長く形成しているので、梃子の原理により操作部に加える力が小さくなる。
【発明の効果】
【０００９】
以上に詳述した本発明のマグネットロックの解除機構によれば、スクリーン装置の受け枠に対する可動框の吸着のためのマグネットの磁力を高め、スクリーンに作用する風等の力によってマグネットロックされている可動框が受け枠から離脱するのを抑止しながら、スクリーンを収納するために可動框を受け枠から離脱させる場合に大きな力を必要とすることなく、可動框を上記マグネットの磁力に抗して容易に受け枠から離脱できるようにすることができ、また、上記スクリーン装置におけるマグネットロックの解除機構を、操作性においてすぐれたものとして提供することができる。
【図面の簡単な説明】
【００１０】
【図１】本発明に係るマグネットロックの解除機構を備えたスクリーン装置の第１実施例の一部を断面によって示す正面図である。
【図２】上記実施例のスクリーン装置の水平断面図である。
【図３】上記実施例におけるマグネットロックの解除機構の構成を示す受け枠及び可動框の拡大水平断面図である。
【図４】上記スクリーン装置におけるマグネットロックの解除機構の操作について説明するための要部拡大斜視図である。
【図５】同マグネットロックの解除状態を示す要部拡大斜視図である。
【図６】同マグネットロックを解除して可動框が受け枠から遠ざかる状態を示す要部拡大斜視図である。
【図７】マグネットロックの解除機構の吸着解除部材をスクリーン装置の室内面側のみに設けた第２実施例を示す上記図３と同位置における受け枠及び可動框の拡大水平断面図である。
【発明を実施するための形態】
【００１１】
図１〜図６は、本発明に係るマグネットロックの解除機構を備えたスクリーン装置の第１実施例を示している。このスクリーン装置は、主として建物開口部に設置し、防虫、目隠し、遮光あるいは断熱等に供するもので、基本的には、縦引きあるいは横引きの自動巻取り機構を備えたロール網戸等のスクリーン装置、あるいは、横引きでプリーツ状に折り畳まれるスクリーンをばねまたは重錘による付勢力で自動収納できるようにしたスクリーン装置として実施できるものであるが、ここでは、横引きの自動巻取り機構を備えたロール網戸、つまり、スクリーン（防虫ネット）の巻取り軸内に収容した巻取りばねの付勢力で該スクリーンを横引きで巻き取るロール網戸に適用した実施例について説明する。
【００１２】
図１及び図２に示すスクリーン装置は、一方の縦枠を形成する巻取りボックス２と、該巻取りボックス２に対向する他方の縦枠を形成する受け枠３と、それらの巻取りボックス２と受け枠３との上下端をそれぞれコーナー部材６，７を介して連結する上下の横枠４，５とにより形成されたスクリーン枠１を備えている。上記巻取りボックス２は、その上下のコーナー部材６，７に回転可能に支持されてスクリーン１０を巻き取る巻取り軸１１を備え、該巻取り軸１１はその内部に巻取りばね１２を収容して、該巻取りばね１２の付勢力により巻取り軸１１にスクリーン１０を巻き取る方向の回転力を付与するもので、これにより、スクリーン１０が後述するマグネットロック機構１５で拘束されていないときに該スクリーン１０を自動的に巻き取る自動巻取り機構を構成させている。
【００１３】
上記スクリーン１０は、上記巻取り軸１１から導出した先端に開閉操作用の可動框８が取り付けられている。そのため、上記巻取り軸１１の内部の巻取りばね１２は、この可動框８に対してスクリーン１０の収納方向への付勢力を作用させることになる。なお、図１及び図２では、上記可動框８が開閉の中間位置にある状態とマグネットロック機構１５により受け枠３に吸着保持された状態とを併記している。この可動框８は、その上下端が上下の横枠４，５に摺動自在にガイドされるもので、図２〜図６からわかるように、その表裏面側に手動で開閉操作するための操作用溝８ａが長手方向に沿って凹設され、また、この可動框８に対してスクリーン１０の先端を取り付けるため、上記表裏の操作用溝８ａ，８ａの溝底間に、スクリーン１０の先端に取り付けた係止片１０ａを弾性的に嵌入係止させる係止溝８ｂを設けている。
【００１４】
上記スクリーン１０を張設状態に保持する際に、上記受け枠３に対して可動框８を上記マグネットロック機構１５を構成するマグネット１６で吸着保持させるため、該受け枠３における上下部には該マグネット１６を取り付け、一方、上記可動框８におけるスクリーン１０の張設時に受け枠３に当接する当接面には、該受け枠３におけるマグネット１６の取付位置に対応させて、該マグネット１６に吸着される鉄系の磁性片１７がねじ１８で固定されている。図１に示す実施例では、受け枠３の上下に二つのマグネット１６を取り付け、可動框８のそれらに対向する位置にそれぞれ磁性片１７を取り付けているが、マグネット１６や磁性片１７の取付位置や数はそれらに限るものではなく、またマグネット１６と磁性片１７とは、可動框８と受け枠３に対して逆に取り付けても差し支えない。
【００１５】
上記スクリーン１０に作用する風等の力によって、受け枠３に対してマグネット１６で吸着保持されている可動框８が該受け枠３から離脱するのを抑止するために、可動框８の吸着のためのマグネット１６の磁力を高めた場合、スクリーン１０を収納するために可動框８を手で持って受け枠３から離脱させるのに大きな力が必要になり、スクリーン１０を収納する場合の操作性が問題になる。この問題を解消するため、上記スクリーン装置においては、可動框８を上記マグネット１６の磁力に抗して容易に受け枠３から離脱できるようにするための吸着解除部材２０を備えている。該吸着解除部材２０は、上記可動框８の開閉操作位置に回転軸２６で回転可能に取り付けられたハンドル状のもので、スクリーン装置の表裏両面側に設けられ、図３〜図６に示すように、それぞれ、手動回転用の操作部２１と、該操作部２１の操作による回転で受け枠３の一部に当接し、該受け枠３を押圧して上記マグネット１６の吸着力に抗して可動框８を受け枠３から離反させる押圧凸部２２とを有するものである。
【００１６】
また、上記吸着解除部材２０は、該押圧凸部２２の先端の受け枠３への当接部と上記吸着解除部材２０の回転軸２６の回転中心との間の距離に対して、上記回転中心から上記操作部２１までの長さを長く形成している。そのため、梃子の原理により操作部２１に加える力が小さくても押圧凸部２２の先端が大きな力で受け枠３を押すことになり、その反力で可動框８が僅かでも受け枠３から離反すれば、マグネット１６と磁性片１７との間の吸着力は両者間の距離に応じて急速に低下するので、簡易に可動框８を移動させることができる。
【００１７】
更に、上記吸着解除部材２０は、操作部２１の手動操作で押圧凸部２２により受け枠３の一部を押圧し、それにより可動框８を受け枠３から離反させる場合の該操作部２１の操作方向が、可動框８によりスクリーン１０を収納する際の押圧方向になるように形成している。そのため、スクリーン１０を収納する際には単に可動框８が受け枠３から離れるまで吸着解除部材２０の操作部２１を押圧すればよく、一方、スクリーン１０を張設する際には、上記吸着解除部材２０あるいは可動框８自体に手を掛け、それを巻取りばね１２の付勢力に抗して受け枠３側に押圧すればよい。
【００１８】
また、上記吸着解除部材２０には、可動框８を手動で開閉操作するために凹設した操作用溝８ａ内に嵌入して該吸着解除部材２０の可動範囲を設定する当り片２３、及び吸着解除部材２０自体の姿勢を安定化させるガイド突片２４を一体に形成している。上記吸着解除部材２０は、その操作を行わない場合には、操作部２１の重量により図４及び図６に示すような復帰位置に保持され、つまり、上記吸着解除部材２０は、上記操作部２１の重量により回転軸２６の周りで回転して操作部２１が垂下し、上記当り片２３が操作用溝８ａの受け枠３側内壁に当接して、押圧凸部２２が受け枠３から離れた位置をとるように重量配分され、更に、上記当り片２３及びガイド突片２４は、上記吸着解除部材２０の回転範囲を図４と図５の位置間で回転するように拘束すると共に、吸着解除部材２０の操作時にその操作部２１が操作用溝８ａ側に押され勝ちになるのでその方向への過度の押圧を抑制し、吸着解除部材２０が安定的に回転するように補助するものである。
【００１９】
上記構成を有するスクリーン装置は、建物開口部にスクリーン１０を張設した状態から該スクリーン１０を巻き取るに際しては、ハンドル状の吸着解除部材２０における操作部２１をスクリーン１０の収納方向に押圧して、図４に矢印で示す方向に吸着解除部材２０を回転させればよく、それによって、図５に示すように、可動框８に設けた該吸着解除部材２０における押圧凸部２２が受け枠３の一部を押圧するので、該受け枠３のマグネット１６に吸着されている可動框８の磁性片１７が、上記押圧凸部２２が受け枠３側から受ける反力、及び操作者の押圧により吸着解除部材２０の操作部２１に加えられた力により受け枠３から離反する方向に押圧され、上記磁性片１７一旦受け枠３から離脱すれば、可動框８に作用している収納方向への付勢力によりスクリーン１０が巻取りボックス２内の巻取り軸１１に巻き取られる。吸着解除部材２０から手を離せば、該吸着解除部材２０はその操作部２１の重量で図６に示すような位置に復帰する。
【００２０】
なお、上記吸着解除部材２０は、図３から明らかなように、可動框８にそれを貫通するように支持させた回転軸２６の両端側に取り付け、人が出入り可能な建物開口部にスクリーン装置を設置して室内外のいずれの側からも吸着解除部材２０を操作可能にしているが、人が出入りすることがない建物開口部や壁面等にスクリーン装置を設置する場合には、図７に示す第２実施例のように、可動框８の片側のみに吸着解除部材２０を取り付けておけばよい。図３と図７を比較すればわかるように、両者は共通の可動框８における回転軸２６を交換して必要な側に吸着解除部材２０を取り付けるだけで、簡易にスクリーン装置の両面側または片面側からの操作に転用することができるものである。図７においては、図３と共通または対応する部分に図３と同一の符号を付してそれらの説明を省略する。
【００２１】
上記両実施例では、スクリーン装置を横引きの自動巻取り機構を備えたロール網戸等のスクリーン装置として説明したが、前述したように、このスクリーン装置におけるマグネットロックの解除機構は、縦引きの自動巻取り機構を備えたロール網戸等のスクリーン装置にも適用することができ、その場合には、図１に示すスクリーン装置の巻取りボックス２を建物開口部の上方に水平配置で取り付け、その巻取り軸１１からスクリーン１０を垂下して上記巻取りボックス２に対向する下辺に設けた受け枠３のマグネット１６に可動框８の磁性片１７を吸着保持させることになる。この場合の吸着解除部材２０の操作及びその動作は、該吸着解除部材２０の向きが変わるだけで上述したところと全く同様である。
【符号の説明】
【００２２】
３      受け枠
８      可動框
１０      スクリーン
１６      マグネット
２０      吸着解除部材
２１      操作部
２２      押圧凸部
２６      回転軸
【図１】
2011256556.tif 000003
【図２】
2011256556.tif 000004
【図３】
2011256556.tif 000005
【図４】
2011256556.tif 000006
【図５】
2011256556.tif 000007
【図６】
2011256556.tif 000008
【図７】
2011256556.tif 000009